(57)【要約】      （修正有）【課題】使用する者の首、肩、腰等における凝りや痛みの各種症状を緩和することができるだけでなく、簡単に持ち運ぶことができ、さらに、安価で容易に製造可能なマッサージ器具を提供する。【解決手段】マッサージ器具１は、球状の押圧部２と、弾性部材で形成され、且つ上部に収納穴を設けた外枠部３とを含む。収納穴は擂鉢状をなし、押圧部２を嵌め込むため、押圧部２に対して若干小さな直径とされている。この外枠部３にはある程度の強度を備えつつ軽量なもの、例えば硬質スポンジ、発泡ウレタン、天然ゴム、人工ゴム等の合成樹脂材や他の材料が使用されているため、収納穴に球状を嵌め込むことで球状が確実に保持される。【選択図】図２
0003206775.tif 000002
【実用新案登録請求の範囲】
【請求項１】
球状の押圧部と、
弾性部材で形成され、且つ上部に押圧部を嵌合させる収納穴を設けた外枠部と、
を含むマッサージ器具。
【請求項２】
外枠部の下部に滑り止め材を備えることを特徴とする請求項１に記載のマッサージ器具。
【請求項３】
外枠部の下部に粘着剤を備えることを特徴とする請求項１に記載のマッサージ器具。
【請求項４】
押圧部がゴルフボールであることを特徴とする請求項１乃至請求項３に記載のマッサージ器具。
【考案の詳細な説明】
【技術分野】
【０００１】
本考案は、使用する者の首、肩、腰等における凝りや痛みの各種症状を緩和することができるだけでなく、簡単に持ち運ぶことができ、さらに、安価で容易に製造可能なマッサージ器具に関するものである。
【背景技術】
【０００２】
従来より、社会生活において多くの人が首、肩、腰等の体の各部位に凝りや痛みを感じており、その解消や改善の手段としては様々なものがある。指圧、整体、鍼灸といった専門施設での施術の他、家庭向けに本格的なマッサージ機能を備えた器具も市販されている。しかし、これらの手段は、施術に時間や費用がかかったり、器具の置き場所や持ち運びが困難であったりすることも知られている。
【０００３】
この一方、日常生活の中でもマッサージ効果が得られる手頃な器具を気軽に使用したいという人は少なくない。例えば、下記引用文献１には、コンパクトで持ち運び可能なゴルフボールを用いた足裏マッサージ具が開示されている。
【先行技術文献】
【特許文献】
【０００４】
【特許文献１】実用新案登録第3172738号公報
【考案の概要】
【考案が解決しようとする課題】
【０００５】
この特許文献１に示す足裏マッサージ具は、ゴルフボールを用いたものであり、ゴルフボールを収納するための収納穴の側壁に滑り止め材が取り付けられている。しかしながら、これによりゴルフボールの確実な保持が可能になるとしても、滑り止め材に費用が別途かかり、その取り付けにも労力を要するという問題がある。また、この足裏マッサージ具は使用中に位置がずれ動くおそれがあることから、十分なマッサージ効果を持続して得ることが困難である。
【０００６】
本考案は上記背景に鑑みてなされたものであり、使用をする者が押圧効果を確実に持続して得ることができるだけでなく、軽量にしてコンパクトで持ち運び易く、さらに、構造が簡単であるため安価で且つ容易に製造可能な利便性の高いマッサージ器具を提供することを目的とする。
【課題を解決するための手段】
【０００７】
上記課題を解決した請求項１記載の考案は、球状の押圧部と、弾性部材で形成され、且つ上部に押圧部を嵌合させる収納穴を設けた外枠部とを含むマッサージ器具である。
【０００８】
請求項１のマッサージ器具によれば、その構成から球状が収納穴に丁度嵌って固定され、凝りや痛みが生じた部位を確実に押圧する。これ伴って、各種症状の解消や改善の効果が増大維持される。
【０００９】
請求項２では、外枠部の下部に滑り止め材を備えることとされている。このような素材を採用することにより、任意の場所や物に置いて使用してもその位置がずれ動くおそれがなく、押圧効果を確実に持続することができる。
【００１０】
請求項３では、外枠部の下部に粘着剤を備えることとされている。このような素材を採用することにより、床、壁、椅子、枕、ベルト等の任意の場所や物に固着させて使用することも可能となる。さらに、前述のように使用中に位置がずれ動くおそれがなく、押圧効果を確実に持続することができる。
【００１１】
請求項４では、押圧部がゴルフボールであることとされている。押圧部にゴルフボールを採用することにより、押圧部を別途加工する必要がなく、安価で容易なマッサージ器具の製造が可能となる。
【考案の効果】
【００１２】
本考案のマッサージ器具によれば、使用をする者が押圧効果を確実に持続して得ることができるだけでなく、軽量にしてコンパクトで持ち運び易く、さらに、構造が簡単であるため安価で且つ容易に製造可能であるという優れた効果を有する。
【図面の簡単な説明】
【００１３】
【図１】本考案の実施形態に係るマッサージ器具の分解斜視図である。
【図２】本考案の実施形態に係るマッサージ器具の上方斜視図である。
【図３】本考案の実施形態に係るマッサージ器具の下方斜視図である。
【図４】本考案の実施形態に係るマッサージ器具の断面図である。
【図５】本考案に係るマッサージ器具の第１の使用状態を示す説明図である。
【図６】本考案に係るマッサージ器具の第２の使用状態を示す説明図である。
【図７】本考案に係るマッサージ器具の第３の使用状態を示す説明図である。
【考案を実施するための最良の形態】
【００１４】
以下、本考案の実施の形態に係るマッサージ器具ついて図面を参照しながら詳細に説明する。
【００１５】
図１は、マッサージ器具１の構成を示しており、球状の押圧部２と、上部に収納穴４を設けた外枠部３とから構成される。収納穴４は上部から下部に向かって内径が徐々に小さくなる擂鉢状をなし、押圧部２を嵌め込むため、押圧部２に対して若干小さな直径とされている。また、収納穴４の下部には、収納穴４よりも小さい直径で形成された円形の凹部５を有している。
【００１６】
この外枠部３の材質としては、ある程度の強度を備えつつ軽量なもの、例えば硬質スポンジ、発泡ウレタン、天然ゴム、人工ゴム等の合成樹脂材や他の材料を採用すればよい。そして、その成形は削り出し成形や型枠成形等、材質に応じて行われる。
【００１７】
また、この外枠部３には上記のような弾性部材が好適である。押圧部２の直径に対して若干小さな直径とされている収納穴４に押圧部２を嵌め込むことで、当該弾性部材の反発力により球状が確実に固定される。さらに、収納穴４の擂鉢の形状及び収納穴４の下部に形成された凹部５によって、嵌め込まれた押圧部２がより安定的に保持される。
【００１８】
図２乃至図４は、上記構成を有するマッサージ器具１において、外枠部３の収納穴４に押圧部２を配置収納した状態を示すものである。図２はマッサージ器具１を上方から見た斜視図、図３はマッサージ器具１を下方から見た斜視図、図４はマッサージ器具１を正面から見た断面図である。
【００１９】
押圧部２の材質としては、押圧効果が生じるよう一定の硬さを有するもの、例えば硬質ゴムなどの合成樹脂材又は木材、その他の材料を用いればよい。
【００２０】
あるいは、収納穴４に収納する押圧部２にはゴルフボールを利用することができる。ゴルフボールは中古品を採用すれば、コストを押さえつつ新品と同等の押圧効果が得られ、中古のゴルフボールの再利用も図ることができる。
【００２１】
収納穴４は、図２乃至図４に示す通り、少なくとも押圧部２の半径に相当する長さよりも若干深く形成されているので、押圧部２が収納穴４から外れて飛び出すこともなく、確実に収納固定することができる。
【００２２】
一方、外枠部３の下部には滑り止め材６を備えることができる。これにより、マッサージ器具１が使用中にずれ動くことが抑止され、安定した押圧効果を得ることができる。
【００２３】
この滑り止め材６としては、例えばラバーシートやウレタンゲル等の合成樹脂材としてもよく、他の材料を採用してもよい。
【００２４】
また、この滑り止め材６の取り付けは、例えば接着剤により又は粘着剤が塗布された両面テープを用いて行えばよい。
【００２５】
この滑り止め材６は、マーサージ器具１が使用中にずれ動くことを防止できるものであれば良く、外枠部３の下部全体に配置する場合のみならず、下部の一部にのみ設けるものであってもよい。この図３及び図４に示す例では、下部の一部に滑り止め材を配置している。
【００２６】
なお、この滑り止め材６は、粘着剤が塗布されたテープとすることも可能である。マッサージ器具１を任意の場所又は物により強力に固着させ、押圧効果を高めることができる。また、使用をする者にとって最適な位置を維持でき、使用の都度その位置を決める手間を回避することもできる。
【００２７】
図５は、本考案に係るマッサージ器具１により、使用者Ａの身体における任意の部位をマッサージしている第１の使用状態を示す図である。
【００２８】
図５に示すように、椅子の背もたれにマッサージ器具１を固定し、腰の凝りや痛みを感じる部位をこのマッサージ器具１に押し当てて圧力をかければ、当該部位を押圧することができる。断続的な押圧によりマッサージされた部位の痛みや凝りが緩和され、あるいは解消される。
【００２９】
図６は、本考案に係るマッサージ器具１により、使用者Ａの身体における任意の部位をマッサージしている第２の使用状態を示す図である。
【００３０】
図６に示すように、椅子の座面にマッサージ器具１を固定し、臀部や大腿部の凝りや痛みを感じる部位をこのマッサージ器具１に押し当てて圧力をかければ、当該部位を押圧することができる。上記図５の場合と同様、断続的な押圧によりマッサージされた部位の痛みや凝りが緩和され、あるいは解消される。
【００３１】
なお、マッサージ器具１は、椅子以外に壁、床、枕、腰痛ベルト等の他の場所又は物に固定して用いてもよい。また、マッサージを行う部位は腰以外に首や肩であってもよい。
【００３２】
図７は、本考案に係るマッサージ器具１により、使用者Ａの身体における任意の部位をマッサージしている第３の使用状態を示す図である。
【００３３】
図７に示すように、マッサージ器具１の外枠部３を手で持ち、押圧部２をマッサージしたい部位に当接させて、その部位方向に力を加えることで押圧する。
【００３４】
なお、このマッサージ器具１は収納穴４により押圧部２が確実に保持されているため、使用中は勿論のこと、移動させたり持ち運んだりするに際し、押圧部２が収納穴４から落下することはなく、その取り扱いも容易である。
【００３５】
本考案に係るマッサージ器具１の大きさは、その高さがゴルフボールの直径とほぼ同じであり、その幅はゴルフボールの直径よりやや広い程度である。このため、コンパクトで軽量に作ることができ、その取り扱いや持ち運びは容易である上、誰でも簡単に使用することができる。
【００３６】
また、本考案に係るマッサージ器具１は外枠部２が単純な円形をなしているため、製造が容易に行える。さらに、手で持って使用する際にも安定性を有し、任意の部位を好みの強さで押圧することができる。
【００３７】
以上のように、本考案に係るマッサージ器具１は、軽量で持ち運びに便利なものであるとともに、安価で且つ容易に製造可能なものであるから、使用をする者が日常的に使用できる点において利便性が高く、日々の健康の維持改善にも役立つものである。
【００３８】
以上、本考案に係る実施の形態を説明したが、本考案は係る実施の形態に限定されるものではなく、本考案の趣旨を逸脱しない範囲で種々変形して実施することができる。
【産業上の利用可能性】
【００３９】
本考案は、健康器具をはじめ様々な産業分野に適用可能となる。
【符号の説明】
【００４０】
１  マッサージ器具
２  押圧部
３  外枠部
４  収納穴
５  凹部
６  滑り止め材
【図１】
0003206775.tif 000003
【図２】
0003206775.tif 000004
【図３】
0003206775.tif 000005
【図４】
0003206775.tif 000006
【図５】
0003206775.tif 000007
【図６】
0003206775.tif 000008
【図７】
0003206775.tif 000009
【手続補正書】
【提出日】平成28年7月28日(2016.7.28)
【手続補正１】
【補正対象書類名】実用新案登録請求の範囲
【補正対象項目名】全文
【補正方法】変更
【補正の内容】
【実用新案登録請求の範囲】
【請求項１】
球状の押圧部と、
弾性部材で形成され、且つ上部に押圧部を嵌合させる収納穴を設けた外枠部と、
を含むマッサージ器具。
【請求項２】
外枠部の下部に滑り止め材を備えることを特徴とする請求項１に記載のマッサージ器具。
【請求項３】
外枠部の下部に粘着剤を備えることを特徴とする請求項１に記載のマッサージ器具。
【請求項４】
押圧部がゴルフボールであることを特徴とする請求項１乃至請求項３のいずれか１項に記載のマッサージ器具。